(57)【要約】【課題】設置位置の変更が容易な照明装置を提供すること。【解決手段】照明装置は、照明ユニットと、浮遊ユニットとを具備する。照明ユニットは、光源部と付加機能を有する付加ユニットとを有する。浮遊ユニットは、照明ユニットを浮遊させ、付加ユニットの動作状況に基づいて照明ユニットの浮遊位置を変更する。【選択図】図１
2020140900.tif 000002
【特許請求の範囲】
【請求項１】
光源部と、付加機能を有する付加ユニットとを有する照明ユニットと；
前記照明ユニットを浮遊させ、前記付加ユニットの動作状況に基づいて前記照明ユニットの浮遊位置を変更する浮遊ユニットと；
を具備する照明装置。
【請求項２】
前記浮遊ユニットは、
磁力によって前記照明ユニットを浮遊させる、
請求項１に記載の照明装置。
【請求項３】
前記照明ユニットは、
送電コイルと対となる受電コイル；
を具備する、請求項１または２に記載の照明装置。
【請求項４】
前記付加ユニットは、
前記照明ユニットの周囲をセンシングするセンシングユニットであり、
前記浮遊ユニットは、
前記センシングユニットによるセンシング結果に基づいて前記浮遊位置を変更する
請求項１、２または３に記載の照明装置。
【請求項５】
前記付加ユニットは、
プロジェクタユニットであり、
前記浮遊ユニットは、
前記プロジェクタユニットの焦点距離に基づいて前記浮遊位置を変更する
請求項１〜４のいずれか一つに記載の照明装置。
【請求項６】
前記付加ユニットは、
スピーカユニットであり、
前記浮遊ユニットは、
前記スピーカユニットによる音響の出射方向に基づいて前記浮遊位置を変更する
請求項１〜５のいずれか一つに記載の照明装置。
【請求項７】
前記付加ユニットは、
無線中継ユニットであり、
前記浮遊ユニットは、
前記無線中継ユニットの接続状況に基づいて前記浮遊位置を変更する
請求項１〜６のいずれか一つに記載の照明装置。
【請求項８】
前記付加ユニットは、
空調ユニットであり、
前記浮遊ユニットは、
前記空調ユニットの送風口の向きに基づいて前記浮遊位置を変更する
請求項１〜７のいずれか一つに記載の照明装置。
【請求項９】
前記付加ユニットは、
ネットワーク電話ユニットであり、
前記浮遊ユニットは、
前記ネットワーク電話ユニットと発話者との位置関係に基づいて前記浮遊位置を変更する
請求項１〜８のいずれか一つに記載の照明装置。
【発明の詳細な説明】
【技術分野】
【０００１】
本発明は、照明装置に関する。
【背景技術】
【０００２】
従来、例えば、店舗や住宅に設置される照明装置がある。この種の照明装置においては、引っ掛けシーリングなどのコネクタを介して供給される電力によって動作するのが一般的である。
【先行技術文献】
【特許文献】
【０００３】
【特許文献１】特開２０１６−７２１２５号公報
【発明の概要】
【発明が解決しようとする課題】
【０００４】
しかしながら、従来技術では、設置位置の変更を容易にする点において改善の余地があった。
【０００５】
本発明が解決しようとする課題は、設置位置の変更が容易な照明装置を提供することである。
【課題を解決するための手段】
【０００６】
実施形態に係る照明装置は、照明ユニットと、浮遊ユニットとを具備する。照明ユニットは、光源部と、付加機能を有する付加ユニットとを有する。浮遊ユニットは、前記照明ユニットを浮遊させ、前記付加ユニットの動作状況に基づいて前記照明ユニットの浮遊位置を変更する。
【発明の効果】
【０００７】
本発明によれば、設置位置の変更が容易な照明装置を提供することができる。
【図面の簡単な説明】
【０００８】
【図１】図１は、照明装置の概要を示す図である。
【図２】図２は、土台ユニットの一例を示す図である。
【図３】図３は、照明装置のブロック図である。
【図４Ａ】図４Ａは、付加ユニットの具体例を示す図（その１）である。
【図４Ｂ】図４Ｂは、付加ユニットの具体例を示す図（その２）である。
【図４Ｃ】図４Ｃは、付加ユニットの具体例を示す図（その３）である。
【図４Ｄ】図４Ｄは、付加ユニットの具体例を示す図（その４）である。
【図４Ｅ】図４Ｅは、付加ユニットの具体例を示す図（その５）である。
【図４Ｆ】図４Ｆは、付加ユニットの具体例を示す図（その６）である。
【発明を実施するための形態】
【０００９】
以下で説明する実施形態に係る照明装置１は、照明ユニット２０（２０−１〜２０−６）と、マグネットＭ１、Ｍ２（浮遊ユニットの一例）とを具備する。照明ユニット２０は、光源部５０と付加機能を有する付加ユニット６０（６０−１〜６０−７）とを有する。浮遊ユニットは、照明ユニット２０を浮遊させ、付加ユニット６０の動作状況に基づいて照明ユニット２０の浮遊位置を変更する。
【００１０】
また、以下で説明する実施形態に係る照明装置１において、浮遊ユニットは、磁力によって照明ユニット２０を浮遊させる。
【００１１】
また、以下で説明する実施形態に係る照明装置１において、照明ユニット２０は、送電コイルＣ１と対となる受電コイルＣ２とを具備する。
【００１２】
また、以下で説明する実施形態に係る照明装置１において、付加ユニット６０は、照明ユニット２０−１の周囲をセンシングするセンシングユニット６０−１であり、浮遊ユニットは、センシングユニット６０−１によるセンシング結果に基づいて浮遊位置を変更する。
【００１３】
また、以下で説明する実施形態に係る照明装置１において、付加ユニット６０は、プロジェクタユニット６０−３であり、浮遊ユニットは、プロジェクタユニット６０−３の焦点距離に基づいて浮遊位置を変更する。
【００１４】
また、以下で説明する実施形態に係る照明装置１において、付加ユニット６０は、スピーカユニット６０−４であり、浮遊ユニットは、スピーカユニット６０−４による音響の出射方向に基づいて浮遊位置を変更する。
【００１５】
また、以下で説明する実施形態に係る照明装置１において、付加ユニット６０は、無線ＬＡＮユニット６０−５（無線中継ユニットの一例）であり、浮遊ユニットは、無線ＬＡＮユニット６０−５の接続状況に基づいて浮遊位置を変更する。
【００１６】
また、以下で説明する実施形態に係る照明装置１において、付加ユニット６０は、空調ユニット６０−６であり、浮遊ユニットは、空調ユニット６０−６の送付口の向きに基づいて浮遊位置を変更する。
【００１７】
また、以下で説明する実施形態に係る照明装置１において、付加ユニット６０は、ＩＰ電話ユニット６０−７（ネットワーク電話ユニット）であり、浮遊ユニットは、ＩＰ電話ユニット６０−７と発話者との位置関係に基づいて浮遊位置を変更する。
【００１８】
以下、図面を参照して、実施形態に係る照明装置について説明する。実施形態において同一の部位には同一の符号を付し、重複する説明は省略する場合がある。
【００１９】
＜実施形態＞
まず、図１を用いて実施形態に係る照明装置１について説明する。図１は、照明装置１の概要を示す図である。図１に示すように、実施形態に係る照明装置１は、照明ユニット２０と、土台ユニット１００とを具備する。
【００２０】
照明ユニット２０は、例えば、球体状の筐体であり、光源部５０と、付加ユニット６０と、マグネットＭ２と、受電コイルＣ２とを具備する。なお、照明ユニット２０の形状は、球体状に限られず、Ｕ字状や、バー状であってもよい。
【００２１】
光源部５０は、例えば、複数のＬＥＤ光源を有する。なお、光源部５０の光源の個数は、任意に変更することにしてもよい。
【００２２】
また、光源自体についても、使用用途に応じて、適切な光源を設置することにしてもよい。すなわち、照明ユニット２０は、スポットライト、卓上ライト、ブラケットライトなどの用途に応じて、照明ユニット２０における光源部５０の配置位置や光源の種別を適宜変更することにしてもよい。また、照明装置１は、複数の照明ユニット２０を含むようにしてもよい。
【００２３】
付加ユニット６０は、光源部５０以外の機能を有するユニットである。すなわち、本実施形態において、照明ユニット２０は、周囲を照らす機能に加え、他の機能を有するものである。なお、付加ユニット６０の具体例については、図４Ａ以降の図面を用いて後述する。
【００２４】
マグネットＭ２は、例えば、電磁石であり、通電すると土台ユニット１００に設けられたマグネットＭ１との間で磁界が発生し、互いに反発する反発力が発生する。これにより、照明ユニット２０を空中浮遊させることができる。
【００２５】
受電コイルＣ２は、土台ユニット１００に設けられた送電コイルＣ１から供給される電力を受電するコイルである。具体的には、送電コイルＣ１へ高周波の電流が流れると、送電コイルＣ１および受電コイルＣ２間で磁界が発生し、かかる磁界によって受電コイルＣ２側で起電力が発生する。受電コイルＣ２で発生した起電力によって光源部５０が点灯する。
【００２６】
このように、実施形態に係る照明装置１は、照明ユニット２０が浮遊するとともに、照明ユニット２０に対して非接触給電を行うことができる。これにより、照明ユニット２０を任意の位置に配置することができるので、設置位置の変更を容易に行うことが可能となる。
【００２７】
なお、マグネットＭ１およびマグネットＭ２は、浮遊ユニットの一例である。また、浮遊ユニットは、マグネットＭ１およびマグネットＭ２に限定されるものではなく、土台ユニット１００に設けられた送風機であってもよいし、照明ユニット２０に設けられたプロペラであってもよい。
【００２８】
浮遊ユニットを送風機とする場合、送風機からエアーを照明ユニット２０へ送風することで照明ユニット２０を浮遊させることができる。また、浮遊ユニットをプロペラとする場合、プロペラを回転させて、照明ユニット２０を浮遊させることができる。
【００２９】
また、上記の例では、土台ユニット１００の上側に照明ユニット２０を浮遊させる場合、すなわち、マグネットＭ１およびマグネットＭ２の反発力を用いる場合について説明したが、これに限定されるものではない。
【００３０】
すなわち、マグネットＭ１およびマグネットＭ２との引力を用いて、照明ユニット２０を浮遊させることにしてもよい。この場合、土台ユニット１００を、照明ユニット２０の上面に設けることとすればよい。
【００３１】
次に、図２を用いて、土台ユニット１００の具体例について説明する。図２は、土台ユニット１００の一例を示す図である。図２に示すように、土台ユニット１００として、例えば、デスクを用いることができる。
【００３２】
例えば、デスクにおいて、書棚壁Ｔａおよび天板Ｔｂには、それぞれ上記のマグネットＭ１や送電コイルＣ１が埋め込まれて設置される設置領域Ｒを有する。
【００３３】
この場合、例えば、照明ユニット２０は、設置領域Ｒから成る駆動スペースＳ内において、浮遊することが可能である。すなわち、ユーザは、駆動スペースＳ内で自由に照明ユニット２０の位置を変更することができる。なお、設置領域Ｒは、１つであってもよく、３つ以上であってもよい。言い換えれば、デスク上に駆動スペースＳを複数設けることにしてもよい。
【００３４】
ところで、デスク用の照明装置として、例えば、電気スタンドを用いる場合、電気スタンドの一部がデスク上の作業スペースの一部を占拠してしまう。これに対して、実施形態に係る照明装置１では、マグネットＭ１や送電コイルＣ１を、設置領域Ｒに埋め込んで配置することで、デスクにおける作業スペースの有効スペースを確保することができる。
【００３５】
また、実施形態に係る照明装置１では、天井照明に比べて、光源部５０を作業領域の近くに配置することができるので、効率よく作業領域を照らすことができる。これにより、消費電力の削減に寄与することも可能である。
【００３６】
なお、土台ユニット１００は、デスクに限られず、住宅の壁面などであってもよい。また、マグネットＭ１および送電コイルＣ１は、それぞれ埋め込まれて設置される必要はなく、シート状のマグネットＭ１および送電コイルＣ１をデスクなどに後から張り付けることにしてもよい。この場合、ユーザが駆動スペースＳを自在に設定することが可能となる。これにより、照明ユニット２０の設置位置の自由度を向上させることが可能となる。
【００３７】
次に、図３を用いて実施形態に係る照明装置１の構成例について説明する。図３は、照明装置１のブロック図である。まず、照明ユニット２０の構成例について説明する。図３に示すように、実施形態に係る照明ユニット２０は、上述した光源部５０、付加ユニット６０、受電コイルＣ２およびマグネットＭ２に加え、通信ユニット５５をさらに具備する。
【００３８】
また、光源部５０、通信ユニット５５および付加ユニット６０と、受電コイルＣ２とは、それぞれ電源線（不図示）を介して接続される。すなわち、受電コイルＣ２で発生した電力は、電源線を介して光源部５０、通信ユニット５５および付加ユニット６０に対してそれぞれ分配される。
【００３９】
通信ユニット５５は、土台ユニット１００の通信ユニット１０１と通信を行う通信モジュールである。例えば、通信ユニット５５は、光源部５０および付加ユニット６０と、信号線（不図示）を介して接続されており、土台ユニット１００と、光源部５０および付加ユニット６０との通信を仲介する機能を担う。
【００４０】
具体的には、通信ユニット５５は、光源部５０や付加ユニット６０に対する制御信号を土台ユニット１００側から受信したり、光源部５０や付加ユニット６０の動作状況等を土台ユニット１００へ送信したりすることができる。
【００４１】
付加ユニット６０は、照明ユニット２０の内部に設けられ、照明機能以外の機能を実行するユニットである。なお、付加ユニット６０を照明ユニット２０に代えて、土台ユニット１００など、照明ユニット２０とは別に設けることにしてもよい。また、付加ユニット６０の具体例については、図４Ａ以降の図面を用いて後述する。
【００４２】
続いて、土台ユニット１００の構成について説明する。図３に示すように、土台ユニット１００は、上述したマグネットＭ１、送電コイルＣ１に加えて、通信ユニット１０１をおよび制御ユニット１０２をさらに具備する。
【００４３】
通信ユニット１０１は、例えば、照明ユニット２０の通信ユニット５５と、通信を行うための通信モジュールである。例えば、通信ユニット１０１と、通信ユニット５５との通信方式として、例えば、Ｂｌｕｅｔｏｏｔｈ（登録商標）などの近距離無線通信方式を用いることができる。
【００４４】
なお、通信ユニット５５および通信ユニット１０１の少なくとも一方を、例えば、イーサーネットなどのネットワークと通信を行う通信モジュールとすることにしてもよい。
【００４５】
制御ユニット１０２は、照明装置１全体を制御する制御装置である。例えば、制御ユニット１０２は、付加ユニット６０の動作状態に基づいて照明ユニット２０の浮遊位置を変更させる。
【００４６】
例えば、制御ユニット１０２は、付加ユニット６０から通知される付加ユニット６０の動作状態に関する情報に基づき、マグネットＭ１の磁力を制御することで、照明ユニット２０の浮遊位置を変更することができる。
【００４７】
これにより、マグネットＭ１、Ｍ２から成る浮遊ユニットは、付加ユニット６０の動作状態に基づいて、照明ユニット２０の浮遊位置を変更することとなる。なお、制御ユニット１０２による浮遊位置の具体的な決定方法は、図４Ａ以降の図面を用いて付加ユニット６０の具体例とともに説明する。
【００４８】
送電コイルＣ１は、図示しない電源から供給される電力によって受電コイルＣ２との間で磁界を発生させる。これにより、照明ユニット２０側に整流素子など少ない部品を配置すればよく、照明ユニット２０の小型化ならびに軽量化を図ることができる。
【００４９】
次に、図４Ａ〜図４Ｆを用いて実施形態に係る付加ユニット６０の具体例について説明する。なお、以下では、図３に示した土台ユニット１００を省略して示す。
【００５０】
図４Ａに示す照明ユニット２０−１において、付加ユニット６０は、センシングユニット６０−１である。ここで言うセンシングユニット６０−１は、赤外線センサ（サーモグラフィ）、温度センサ、湿度センサ、照度センサ、画像センサ、測距センサなどといったセンサ類の総称である。照明ユニット２０−１は、用途に応じたセンサを適宜選択して用いることができる。
【００５１】
また、制御ユニット１０２（図３参照）は、センシングユニット６０−１のセンシング結果に基づいて照明ユニット２０の浮遊位置を変更する。例えば、センシングユニット６０−１が画像センサである場合について説明する。
【００５２】
この場合、制御ユニット１０２は、画像センサから入力される画像データを所定の画像解析技術によって、ユーザの手元や目線などを検出し、検出結果に基づいてユーザに対して適切な位置が照らされるように浮遊位置を変更する。
【００５３】
具体的には、例えば、制御ユニット１０２は、光源部５０からの光がユーザの手元を照らすように浮遊位置を決定する。すなわち、この場合においては、ユーザの頭部によって光が遮られない位置へ浮遊位置を決定することとなる。
【００５４】
また、制御ユニット１０２は、ユーザの作業内容を認識し、作業内容に応じて、浮遊位置を決定することにしてもよい。すなわち、例えば、読書や、書き物を行っている場合と、パソコン作業を行っている場合とで、異なる浮遊位置とすることにしてもよい。
【００５５】
また、制御ユニット１０２は、例えば、ユーザが読書をしていることが検出された場合、照度を照明に適した照度に設定するなど、光源部５０を適宜制御することも可能である。また、例えば、制御ユニット１０２は、単に照明ユニット２０−１と、ユーザとが接触しない位置に浮遊位置を決定することにしてもよい。
【００５６】
また、制御ユニット１０２は、センシングユニット６０−１のセンシング結果に基づいて家電機器Ｈを制御することも可能である。例えば、制御ユニット１０２は、画像データに基づいてユーザの汗を検出した場合、ユーザに対して空調（例えば、冷房）が当たるように、空調機器（家電機器Ｈの一例）を制御することもできる。
【００５７】
つまり、制御ユニット１０２は、センシングユニット６０−１のセンシング結果を、浮遊位置の決定のみならず、他の制御機器への制御に活用することが可能である。特に、照明ユニット２０−１は、ユーザの近傍に配置されるため、センシングユニット６０−１によってユーザに関する情報を精度よく検出することが可能である。
【００５８】
つまり、制御ユニット１０２は、センシングユニット６０−１のセンシング結果に基づいて、照明ユニット２０の浮遊位置や他の制御機器を制御することで、ユーザに対して快適な照明空間のみならず、快適な生活空間を提供することが可能となる。
【００５９】
次に、図４Ｂを用いて、照明ユニット２０−２について説明する。図４Ｂに示すように、照明ユニット２０−２において、付加ユニット６０は、カメラユニット６０−２およびプロジェクタユニット６０−３である。すなわち、図４Ｂに示すように、付加ユニット６０は、１つに限定されず、複数であってもよい。
【００６０】
カメラユニット６０−２は、レンズや撮像素子を備え、所定のフレームレートで周囲を撮像した画像データを生成し、通信ユニット５５を介して土台ユニット１００へ送信する。
【００６１】
プロジェクタユニット６０−３は、例えば、通信ユニット５５を介して取得した画像や映像などを再生してスクリーンに投映する映写機である。なお、ここでいうスクリーンとは、壁など任意の対象物を指す。
【００６２】
例えば、照明ユニット２０−２を用いてテレビ会議システムを行う場合を想定する。この場合、制御ユニット１０２は、カメラユニット６０−２によって、ユーザの顔が撮像可能な位置であり、かつ、プロジェクタユニット６０−３の焦点距離にスクリーンが配置される位置に浮遊位置を決定する。
【００６３】
なお、この場合において、例えば、スクリーンまでの距離を測距する測距センサをプロジェクタユニット６０−３に設けることにしてもよい。
【００６４】
つまり、照明ユニット２０−２を上記の浮遊位置で浮遊させることで、ユーザを撮像しつつ、ユーザに対して映像を適切に提供することが可能となる。
【００６５】
なお、例えば、照明ユニット２０−１をテレビ会議システムに用いる場合、付加ユニット６０として、マイクユニットやスピーカユニットをさらに設けることにしてもよい。また、付加ユニット６０の一部を土台ユニット１００や、周囲の他の装置が担うことにしてもよい。
【００６６】
また、ここでは、照明ユニット２０−２が、カメラユニット６０−２およびプロジェクタユニット６０−３の双方の付加ユニット６０を具備する場合について示したが、これに限定されるものではない。すなわち、照明ユニット２０−２は、カメラユニット６０−２およびプロジェクタユニット６０−３のうち、少なくとも一方のみを具備する構成であってもよい。
【００６７】
次に、図４Ｃを用いて、照明ユニット２０−３について説明する。照明ユニット２０−３において、付加ユニット６０は、スピーカユニット６０−４である。スピーカユニット６０−４は、例えば、通信ユニット５５を介して取得した音声信号を再生して出力する音声出力部として機能する。また、例えば、スピーカユニット６０−４は、対話型の音声操作に対応し音声アシスト機能を有するＡＩスピーカであってもよい。
【００６８】
なお、土台ユニット１００を図２に示したようにデスクとする場合、スピーカユニット６０−４として、狭指向性スピーカを用いることにしてもよい。これにより、ユーザに対してのみ音響を届けることができる。また、スピーカユニット６０−４とイヤフォンとを接続することにしてもよい。
【００６９】
この場合、制御ユニット１０２は、スピーカユニット６０−４から音響の出射方向にユーザ（聴講者）がくるように、照明ユニット２０−３の浮遊位置を決定する。また、この場合、制御ユニット１０２は、照明ユニット２０−３の浮遊位置を固定した状態で、照明ユニット２０−３を回転させることで、上記の出射方向が聴講者を向きようにしてもよい。なお、制御ユニット１０２は、聴講者の位置は、画像データから認識することができる。
【００７０】
次に、図４Ｄを用いて、照明ユニット２０−４について説明する。図４Ｄに示すように、照明ユニット２０−４において、付加ユニット６０は、無線ＬＡＮユニット６０−５である。
【００７１】
照明ユニット２０−４を無線ＬＡＮのアクセスポイントとして設定することで、照明ユニット２０−４周囲に存在する各種機器をさらに無線接続によってイーサーネットへ接続することが可能となる。
【００７２】
この場合、制御ユニット１０２は、無線ＬＡＮユニット６０−５に通信機器が通信接続されている場合、無線ＬＡＮユニット６０−５とかかる通信機器との通信接続が改善される位置を浮遊位置として決定する。
【００７３】
つまり、この場合において、制御ユニット１０２は、照明ユニット２０−４と、上記の通信機器とが近くなるように浮遊位置を決定する。なお、制御ユニット１０２は、無線ＬＡＮユニット６０−５とかかる通信機器との通信の接続状態について、無線ＬＡＮユニット６０−５から取得することが可能である。
【００７４】
次に、図４Ｅを用いて、照明ユニット２０−５について説明する。図４Ｅに示すように、照明ユニット２０−５において、付加ユニット６０は、空調ユニット６０−６である。
【００７５】
空調ユニット６０−６として、扇風機、加湿器や、空気清浄器、冷房、暖房などが含まれる。この場合において、制御ユニット１０２は、ユーザに対して適切な空調環境を提供される位置を浮遊位置として決定する。
【００７６】
具体的には、制御ユニット１０２は、空調ユニット６０−６の送風口がユーザを向くように照明ユニット２０−５の浮遊位置や向きを制御する。
【００７７】
次に、図４Ｆを用いて、照明ユニット２０−６について説明する。図４Ｆに示すように、照明ユニット２０−６において、付加ユニット６０は、ＩＰ電話ユニット６０−７である。
【００７８】
ＩＰ電話ユニット６０−７は、イーサーネットのネットワーク回線を利用した電話ユニットである。ＩＰ電話ユニット６０−７は、ユーザの発話音声を取得するマイクや、通話音声を通知するスピーカを備える。
【００７９】
この場合、制御ユニット１０２は、ユーザ（発話者）の顔の正面に上記のマイクが配置され、かつ、ユーザの顔（好ましくは耳）にスピーカの出射方向となる位置を浮遊位置として決定する。
【００８０】
このように、照明装置１は、照明ユニット２０に、光源部５０に加えて、付加ユニット６０をさらに具備する。これにより、照明装置としての付加価値を高めることが可能となる。さらに、照明装置１では、付加ユニット６０の動作状態に応じて、照明ユニット２０の浮遊位置を変更することから、付加ユニット６０を効率よく動作させることが可能となる。なお、図４Ａ〜図４Ｆに示した付加ユニット６０は、一例であり、これに限定されるものではない。
【００８１】
すなわち、照明装置１が設置される環境において、求められる機能に応じて、付加ユニット６０を適宜変更することにしてもよい。さらに、照明ユニット２０に付加ユニット６０を設ける場合について説明したが、付加ユニット６０の一部またはすべてを土台ユニット１００側に設けることにしてもよい。この場合、照明ユニット２０を軽量化することが可能となる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１    照明装置
２０、２０−１〜２０−６    照明ユニット
５０    光源部
５５    通信ユニット
６０    付加ユニット
６０−１    センシングユニット（付加ユニットの一例）
６０−２    カメラユニット（付加ユニットの一例）
６０−３    プロジェクタユニット（付加ユニットの一例）
６０−４    スピーカユニット（付加ユニットの一例）
６０−５    無線ＬＡＮユニット（付加ユニットの一例）
６０−６    空調ユニット（付加ユニットの一例）
６０−７    ＩＰ電話ユニット（付加ユニットの一例）
１００    土台ユニット
１０２    制御ユニット
Ｃ１    送電コイル
Ｃ２    受電コイル
Ｍ１、Ｍ２    マグネット（浮遊ユニットの一例） 
【図１】
2020140900.tif 000003
【図２】
2020140900.tif 000004
【図３】
2020140900.tif 000005
【図４Ａ】
2020140900.tif 000006
【図４Ｂ】
2020140900.tif 000007
【図４Ｃ】
2020140900.tif 000008
【図４Ｄ】
2020140900.tif 000009
【図４Ｅ】
2020140900.tif 000010
【図４Ｆ】
2020140900.tif 000011